(57)【要約】  【課題】開閉扉側の重量的な負担を軽減しながら、従来と同様に開閉扉の周辺部分を利用して装飾レンズの発光による装飾、演出等を行うことができるようにす。  【解決手段】遊技機本体１に、この遊技機本体１に前側から着脱自在に装着された遊技盤８を前側から開閉自在に覆い且つこの遊技盤８の遊技領域１３を視認可能な開閉扉５を備えた弾球遊技機において、遊技領域１３の外側で遊技盤８を着脱自在に固定する遊技盤固定具２０を備え、この遊技盤固定具２０を前側から覆うように開閉扉５の装飾レンズ部４７に対応して装飾用発光手段４０を備える。【選択図】    図５
2010148992.tif 000002
【特許請求の範囲】
【請求項１】
遊技機本体（１）に、該遊技機本体（１）に前側から着脱自在に装着された遊技盤（８）を前側から開閉自在に覆い且つ該遊技盤（８）の遊技領域（１３）を視認可能な開閉扉（５）を備えた弾球遊技機において、前記遊技領域（１３）の外側で前記遊技盤（８）を着脱自在に固定する遊技盤固定具（２０）を備え、該遊技盤固定具（２０）を前側から覆うように前記開閉扉（５）の装飾レンズ部（４７）に対応して装飾用発光手段（４０）を備えたことを特徴とする弾球遊技機。
【請求項２】
前記装飾用発光手段（４０）は前記遊技盤固定具（２０）を前側から覆う覆い位置（Ａ）と、前記遊技盤（８）の着脱域から退避する退避位置（Ｂ）との間で移動自在であることを特徴とする請求項１に記載の弾球遊技機。
【請求項３】
前記遊技盤固定具（２０）を前側から覆う固定具カバー（３２）を前記二位置（Ａ）（Ｂ）間で回動自在に設け、該固定具カバー（３２）の前側に前記装飾用発光手段（４０）を配置したことを特徴とする請求項２に記載の弾球遊技機。
【請求項４】
遊技機本体（１）に、該遊技機本体（１）に前側から着脱自在に装着された遊技盤（８）を前側から開閉自在に覆い且つ該遊技盤（８）の遊技領域（１３）を視認可能な開閉扉（５）を備えた弾球遊技機において、前記遊技領域（１３）の外側で前記遊技盤（８）を着脱自在に固定する遊技盤固定具（２０）を備え、該遊技盤固定具（２０）に、前記開閉扉（５）の装飾レンズ部（４７）に対応して装飾用発光手段（４０）を備えたことを特徴とする弾球遊技機。
【請求項５】
前記遊技盤固定具（２０）は、前記遊技盤（８）を固定する固定位置（Ｃ）と、前記遊技盤（８）の着脱域から退避する退避位置（Ｂ）との間で移動自在な固定用部材（６３）を有し、該固定用部材（６３）に前記装飾用発光手段（４０）を設けたことを特徴とする請求項４に記載の弾球遊技機。
【請求項６】
遊技機本体（１）に、該遊技機本体（１）に前側から着脱自在に装着された遊技盤（８）を前側から開閉自在に覆い且つ該遊技盤（８）の遊技領域（１３）を視認可能な開閉扉（５）を備えた弾球遊技機において、前記遊技領域（１３）の外側に、前記遊技盤（８）を着脱自在に固定する遊技盤固定具（２０）と、前記開閉扉（５）の装飾レンズ部（４７）に対応する装飾用発光手段（４０）とを配置し、該装飾用発光手段（４０）を前記遊技領域（１３）の外側で前記遊技盤（８）の前側に対応する位置（Ａ）（Ｃ）と、前記遊技盤（８）の着脱域から退避する退避位置（Ｂ）との間で移動自在に設けたことを特徴とする弾球遊技機。
【請求項７】
前記装飾用発光手段（４０）は装飾基板（４１）に複数個の発光素子（４２）を装着したものであることを特徴とする請求項１〜６の何れかに記載の弾球遊技機。
【発明の詳細な説明】
【技術分野】
【０００１】
本発明は、弾球遊技機に関し、開閉扉の装飾レンズ部を発光させる装飾用発光手段を遊技機本体側に設けたものである。
【背景技術】
【０００２】
パチンコ機等の弾球遊技機では、遊技機本体に装着された遊技盤の前側に、その遊技領域を視認可能な開閉扉を配置し、また開閉扉内の周辺部分に装飾用発光手段を組み込んでいる（特許文献１）。
【０００３】
開閉扉は遊技領域の外側に対応する扉枠と、この扉枠の前面に装着され且つ装飾レンズ部を有する化粧カバーと、遊技領域を視認可能に扉枠に装着されたガラス板等により構成されている。また装飾用発光手段は、装飾基板と、装飾レンズ部に対応して装飾基板に装着されたＬＥＤ等の発光素子とを備え、扉枠とその前側の化粧カバーとの間に介在されている。
【０００４】
そして、例えば、変動中の遊技図柄が特定の大当たり態様で停止して大当たりが発生する等した場合には、そのときの遊技状況に応じて発光素子を発光又は点滅発光させて視覚的な演出を行うようにしている。
【先行技術文献】
【特許文献】
【０００５】
【特許文献１】特開２００１−２７６３７８号公報
【発明の概要】
【発明が解決しようとする課題】
【０００６】
開閉扉に装飾用発光手段を組み込んでおけば、遊技盤を他のものと交換して遊技内容を変更する際にも、遊技盤の遊技領域の外側に装飾用発光手段を装着したもののように、遊技盤を交換する都度、それに装着された入賞手段等の遊技部品と一緒に装飾用発光手段を廃棄する必要がなく、資材の無駄を極力防止できる。
【０００７】
一方、近時の弾球遊技機では、遊技領域の拡大化に伴って開閉扉の扉枠の幅が非常に狭くなる傾向にあり、重量的な負担を軽減するために開閉扉の軽量化が図られている。しかし、強度部材を削減して開閉扉自体が脆弱化すれば、開閉扉を不正にこじ開けて遊技領域内の遊技釘を曲げる等の不正行為が横行する惧れがあるため、重量の軽量化を図りつつ、補強対策は十分に講じる必要がある。
【０００８】
本発明は、このような従来の問題点に鑑み、開閉扉側の重量的な負担を軽減しながら、従来と同様に開閉扉の周辺部分を利用して装飾レンズの発光による装飾、演出等を行うことができる弾球遊技機を提供することを目的とする。
【課題を解決するための手段】
【０００９】
本発明は、遊技機本体１に、該遊技機本体１に前側から着脱自在に装着された遊技盤８を前側から開閉自在に覆い且つ該遊技盤８の遊技領域１３を視認可能な開閉扉５を備えた弾球遊技機において、前記遊技領域１３の外側で前記遊技盤８を着脱自在に固定する遊技盤固定具２０を備え、該遊技盤固定具２０を前側から覆うように前記開閉扉５の装飾レンズ部４７に対応して装飾用発光手段４０を備えたものである。
【発明の効果】
【００１０】
本発明では、装飾用発光手段４０が遊技機本体１側となるため、開閉扉５の重量的な負担を軽減しながら、従来と同様に開閉扉５の周辺部分を利用して装飾レンズ部４７の発光による装飾、演出等を行うことができる。また開閉扉５側に装飾用発光手段４０がなくなるため、重量的にも構造的にも開閉扉５の補強対策を講じ易くなり、その強度の増大を図ることも容易である。
【図面の簡単な説明】
【００１１】
【図１】本発明の第１の実施例を示すパチンコ機の斜視図である。
【図２】同横断面図である。
【図３】同前枠の上部の正面図である。
【図４】同開閉扉の斜視図である。
【図５】同要部の側面断面図である。
【図６】同要部の正面断面図である。
【図７】本発明の第２の実施例を示す要部の側面断面図である。
【図８】本発明の第３の実施例を示す要部の側面断面図である。
【図９】同要部の正面破断図である。
【図１０】本発明の第４の実施例を示す要部の側面断面図である。
【図１１】同要部の正面断面図である。
【発明を実施するための形態】
【００１２】
以下、本発明の実施形態を図面に基づいて詳述する。図１〜図６は本発明をパチンコ機に採用した第１の実施例を示し、図１〜図４において、１は遊技機本体であり、矩形枠状の外枠２と、この外枠２の左側の上下一対のヒンジ３を介して縦軸心廻りに開閉自在及び着脱自在に枢着された前枠４とを備えている。前枠４には開閉扉５及び前面扉６がヒンジ３と略同一軸心を有するヒンジ７により開閉自在に装着され、また開閉扉５の裏側に遊技盤８が着脱自在に装着されている。前面扉６には、発射用の遊技球を貯留するための供給皿９が装着され、この供給皿９の両側に灰皿１０と発射手段（図示省略）の発射ハンドル１１と配置されている。
【００１３】
遊技盤８の前面には、発射手段から発射された遊技球を案内するガイドレール１２が環状に装着され、そのガイドレール１２の内側の遊技領域１３内に図柄表示手段、図柄始動手段、可変入賞手段、普通入賞手段等（何れも図示省略）の複数の遊技部品が装着されている。
【００１４】
前枠４は矩形状であって、外周が矩形状の枠部１４と、この枠部１４の内側に一体に形成され且つ外枠２内に嵌合する嵌合胴部１５とを有し、閉状態のときに枠部１４が外枠２に前側から当接して、ヒンジ３と反対側の施錠手段（図示省略）により外枠２に施錠されている。
【００１５】
枠部１４には図３に示すように、嵌合胴部１５の上側に左右一対のスピーカ取り付け部１６と、そのスピーカ取り付け部１６の後部側間を左右に連結する後壁１７が一体に形成されている。スピーカ取り付け部１６の裏側にはスピーカ１８が取り付けられている。嵌合胴部１５内には遊技盤装着部１９が形成されており、その遊技盤装着部１９に遊技盤８が前側から着脱自在に嵌合され、上下一対の遊技盤固定具２０により固定されている。嵌合胴部１５の裏側には、遊技盤８を裏側から覆う裏カバー２１が着脱自在に装着されている。
【００１６】
遊技盤８には図３、図５、図６に示すように、左右中央よりもヒンジ３と反対側に偏位して遊技領域１３外の上下両側に切り欠き部２２が設けられており、この各切り欠き部２２に対応して遊技盤装着部１９に遊技盤固定具２０が配置されている。
【００１７】
遊技盤固定具２０は図５、図６に示すように、支持部２３を介して遊技盤装着部１９の後壁２４に取り付けられた前後方向の回動軸２５と、この回動軸２５に固定された締結レバー２６及び押圧具２７を備えている。締結レバー２６、押圧具２７は遊技盤８の着脱時に切り欠き部２２を通過可能な状態（図６に二点鎖線で示す縦向き状態）、締結レバー２６が遊技盤８を後壁２４側へと締結する状態（図６に実線で示す横向き状態）との間で回動軸２５廻りに回動可能である。
【００１８】
押圧具２７は、締結レバー２６による遊技盤８の締結時に、切り欠き部２２の被押圧面２８を介して遊技盤８を遊技盤装着部１９内でヒンジ３側の斜め下方へと押圧するようになっている。即ち、下側の切り欠き部２２には被押圧面２８が略垂直に形成され、押圧具２７がその被押圧面２８を介して遊技盤８の下部側の遊技盤装着部１９のヒンジ３側の側壁２９へと横方向に押圧するようになっている。また上側の切り欠き部２２には遊技盤８の中央側下部に被押圧面２８が略斜め方向に形成され、押圧具２７がその被押圧面２８を介して遊技盤８を遊技盤装着部１９のヒンジ３側の側壁２９と下壁３０の隅部側へと斜め下方向に押圧するようになっている。
【００１９】
また枠部１４の上部には図３、図５、図６に示すように、そのスピーカ取り付け部１６間に、遊技領域１３の外側で上側の遊技盤固定具２０を前側から覆う固定具カバー３２が設けられている。固定具カバー３２は下端側が遊技領域１３の上縁を形成するガイドレール１２に沿って近接した形状となっており、上部裏側のブラケット３３がスピーカ取り付け部１６から内側に突出する横軸３４により枢支され、遊技盤固定具２０を前側から覆う覆い位置（図５の実線位置）Ａと、遊技盤８の着脱に支障を来さないように遊技盤８の着脱域から上側に退避する退避位置（図５の二点鎖線位置）Ｂとの間で横軸３４廻りに回動（移動）自在になっている。
【００２０】
固定具カバー３２は位置決め手段３５により覆い位置Ａと退避位置Ｂとに位置決め可能である。位置決め手段３５は両位置に対応して弾性板３６に形成された凹部３７と、ブラケット３３に設けられた突起３８とを有し、各位置Ａ，Ｂで突起３８が凹部３７に係合するようになっている。弾性板３６はＵ字状等に屈曲しており、その一部が前枠４の後壁１７に当接した状態で横軸３４を挿通する等して固定されている。なお、位置決め手段３５は他の構造でも良い。
【００２１】
固定具カバー３２の前側には図３、図５、図６に示すように、遊技状態を視覚的に演出するための装飾用発光手段４０が装着されている。装飾用発光手段４０は固定具カバー３２に対応する大きさの装飾基板４１と、この装飾基板４１に所定の配列で装着されたＬＥＤ等の発光素子４２とにより構成されている。装飾基板４１は固定具カバー３２の前側外周に形成された周縁部４３内に嵌合して、その裏側のボス４５にネジ４６により着脱自在に取り付けられている。発光素子４２は複数個を一組とする等、開閉扉５側の装飾レンズ部４７に対応して配列されている。
【００２２】
なお、装飾用発光手段４０は遊技盤固定具２０を前側から覆うようになっており、固定具カバー３２と一体に回動して覆い位置Ａと退避位置Ｂとの間で移動自在である。
【００２３】
開閉扉５は図４、図５に示すように、内周に遊技領域１３に対応する窓孔４８が形成された扉枠４９と、この扉枠４９の裏側に装着された板金製の補強板５０と、扉枠４９の前側に装着された化粧カバー５１と、補強板５０の裏側に取り付け具５８を介して着脱自在に装着されたガラスユニット５２とを備え、そのガラスユニット５２を介して遊技盤８の遊技領域１３を視認できるようになっている。ガラスユニット５２は２枚のガラス板５６と、これを保持する保持枠５７とにより構成されている。
【００２４】
扉枠４９、補強板５０には、スピーカ１８に対応して開口５３が形成されると共に、各発光素子４２の配列に対応して開口５４が形成されている。化粧カバー５１にはスピーカ１８に対応して音声口５５が形成され、また遊技領域１３を取り囲むように左右両側から上側に渡って窓孔４８の周囲に周方向に複数個の装飾レンズ部４７が設けられている。
【００２５】
そして、装飾用発光手段４０は、複数個の発光素子４２からなる各発光素子群が開閉扉５の音声口５５間にある複数個の装飾レンズ部４７の裏側に夫々対応しており、開閉扉５を閉じたときに、その発光素子４２が開閉扉５側の開口５４に近接するように前後方向に接近して配置されている。なお、上部側の装飾レンズ部４７を除く左右両側の各装飾レンズ部４７に対応する装飾用発光手段（図示省略）は、開閉扉５の扉枠４９と化粧カバー５１との間に設けられている。
【００２６】
このような構成のパチンコ機において、例えば遊技盤８を前枠４に装着する場合には、開閉扉５を前側へと開放し、図５に二点鎖線で示すように遊技盤固定具２０を覆う固定具カバー３２，装飾用発光手段４０を横軸３４廻りに上側の退避位置Ｂへと回動させて、遊技盤装着部１９の前側を開放状態にする。また遊技盤固定具２０の締結レバー２６を切り欠き部２２に沿って上下方向に向けておく。そして、この状態で遊技盤８の切り欠き部２２を締結レバー２６が通過するように、各切り欠き部２２を遊技盤固定具２０に合わせながら、遊技盤８を前側から遊技盤装着部１９へと嵌め込む。
【００２７】
遊技盤８を遊技盤装着部１９内に嵌め込んだ後は、締結レバー２６を回動軸２５廻りに時計方向へと回動させて、この締結レバー２６により遊技盤８を遊技盤装着部１９の後壁２４との間で締結する。このとき締結レバー２６と一体に押圧具２７が回動して被押圧面２８を押圧するため、遊技盤８は遊技盤装着部１９内でヒンジ３側の下隅方向に押圧される。このため遊技盤８は遊技盤装着部１９内でヒンジ３側の下隅を基準に位置決めされることになり、発射手段とガイドレール１２の入り口側とを常に適正位置に保つことができる。
【００２８】
なお、押圧具２７による遊技盤８の押圧は、締結レバー２６による遊技盤８の締結と同時、又は締結に先行して行うことが望ましい。
【００２９】
遊技盤８を固定した後は、退避位置Ａにある固定具カバー３２を横軸３４廻りに下側へと覆い位置Ｂまで回動させて、この固定具カバー３２により遊技盤固定具２０を前側から覆う。これによって固定具カバー３２に装着された装飾用発光手段４０が遊技盤８の遊技領域１３の外側で前向きに配置された状態となる。そこで開閉扉５を閉じれば、装飾用発光手段４０の各発光素子４２が扉枠４９、補強板５０等の開口５４を介して各装飾レンズ部４７の裏側に対応する。
【００３０】
このため大当たりが発生した場合等に、装飾用発光手段４０の各発光素子４２を所定の発光パターンで発光させることにより、各装飾レンズ部４７を発光させることができる。従って、上部側の装飾レンズ部４７の発光、又は上部側の装飾レンズ部４７と左右両側の装飾レンズ部４７との組み合わせ発光等により、大当たり等の遊技状態を視覚的に演出することができる。
【００３１】
また上部側の装飾レンズ部４７に対応する装飾用発光手段４０は、遊技盤固定具２０を前側から覆う固定具カバー３２に装着しているため、開閉扉５は扉枠４９等に開口５４を形成する程度で十分となり、開閉扉５側の構造を簡素化して軽量化でき、しかも装飾用発光手段４０がないため、開閉扉５側の補強対策も容易に行うことができる。
【００３２】
更に装飾用発光手段４０を前枠４側に設けているが、前枠４の遊技盤装着部１９に対して遊技盤８を前側から装着する方式の場合には、遊技領域１３の外上側に遊技盤固定具２０を配置する等、遊技盤８の前上側に、開閉扉５の上部側に対応する余剰スペースができる。従って、遊技盤固定具２０を前側から覆う固定具カバー３２に装飾用発光手段４０を装着することによって、その余剰スペースを有効に利用して装飾用発光手段４０を設けることができる。
【００３３】
また装飾用発光手段４０は前枠４側の固定具カバー３２装着しているが、開閉扉５を閉じた状態では、この装飾用発光手段４０が開閉扉５の裏側近傍に接近する構造となっているため、装飾用発光手段４０と装飾レンズ部４７との間隔を小さくでき、装飾レンズ部４７の照度の低下を極力防止することができる。
【００３４】
図７は本発明の第２の実施例を例示し、この実施例では、開閉扉５を閉じたときに固定具カバー３２の前面の装飾用発光手段４０が開閉扉５の裏側の開口５４から開閉扉５内に嵌脱自在に嵌合するように構成され、また化粧カバー５１内に補強壁兼用の拡散防止壁５９が設けられている。拡散防止壁５９は装飾用発光手段４０を取り囲むようになっている。
【００３５】
開閉扉５の化粧カバー５１が前側へと大きく突出する場合には、装飾用発光手段４０が開閉扉５の後方近傍に位置する構造では、化粧カバー５１の装飾レンズ部４７と装飾用発光手段４０との間隔が大きくなり、発光素子４２が発光しても装飾レンズ部４７側の照度が低下する。
【００３６】
しかし、装飾用発光手段４０が開口５４を経て開閉扉５内に嵌合するように構成すれば、化粧カバー５１の前側への突出量が大きい場合でも、その装飾レンズ部４７と装飾用発光手段４０との間隔を小さくでき、装飾レンズ部４７側の照度の低下を防止できる。
【００３７】
また化粧カバー５１内に拡散防止壁５９を設けることにより、化粧カバー５１内での光の拡散を極力防止でき、装飾レンズ部４７側の照度を大にできる。なお、拡散防止壁５９は装飾用発光手段４０からの光を装飾レンズ部４７へと反射する反射壁により構成することが望ましい。
【００３８】
図８、図９は本発明の第３の実施例を示し、この実施例では、遊技盤固定具２０に取り付け台６２を介して装飾用発光手段４０が取り付けられている。遊技盤固定具２０は遊技盤８を前側から押さえる押さえ部材６３と、遊技盤８を押さえ状態で押さえ部材６３を締結する締結レバー２６とを有し、遊技盤８上部の左右方向の略中央に対応して配置されている。
【００３９】
押さえ部材６３は所定の左右幅を有する板金材の上部にブラケット６４を、下部に押さえ部６５を夫々屈曲形成したものであって、そのブラケット６４が枠部１４の後壁１７の取り付け部６６に横軸３４により回動自在に枢支され、下端の押さえ部６５で遊技盤８を前側から押さえる押さえ位置（固定位置）Ｃと、遊技盤８の着脱域から前側上方へと退避する退避位置Ｂとの間で上下方向に回動（移動）自在であり、つる巻きバネ等のバネ６７により退避位置Ｂに付勢されている。
【００４０】
この押さえ部材６３には中央部分にその下端側から切り欠き部６８が形成され、押さえ部材６３の回動時に、この切り欠き部６８を締結レバー２６が通過可能になっている。締結レバー２６は回動軸２５廻りに回動自在であり、押さえ部材６３の切り欠き部６８を横切る方向に廻したときに、押さえ部材６３を遊技盤装着部１９の後壁２４側へと締結するようになっている。なお、遊技盤８の上部には、締結レバー２６が通過可能な切り欠き部２２が設けられている。
【００４１】
取り付け台６２は押さえ部材６３の前面にネジ６９等で固定され、この取り付け台６２の前側に装飾用発光手段４０が装着されている。装飾用発光手段４０はその装飾基板４１がボス４５に螺合するネジ４６等により固定されている。そして、取り付け台６２、装飾基板４１には、押さえ部材６３の回動時に締結レバー２６と干渉しないように下向きの切り欠き部７１が形成され、また切り欠き部７１の上部側には締結レバー２６を回動操作できるように円形状の操作孔７２が形成されている。
【００４２】
この実施例では、遊技盤８を装着する場合には、締結レバー２６による押さえ部材６３の締結を解除し、押さえ部材６３をバネ６７により退避位置Ｂに保持しておく。そして、遊技盤８を遊技盤装着部１９にセットした後、締結レバー２６を上下に向けた状態で、バネ６７に抗して押さえ部材６３を横軸３４廻りに押さえ位置Ｃへと回動させ、締結レバー２６を廻して押さえ部材６３により遊技盤８を締結し固定する。
【００４３】
このように遊技盤固定具２０が押さえ部材６３と締結レバー２６とにより構成されている場合にも、その押さえ部材６３に取り付け台６２を介して装飾用発光手段４０を設けることにより、前述と同様に実施可能である。また押さえ部材６３に取り付け台６２を介して装飾用発光手段４０を設けているため、第１、第２の実施例に比して装飾用発光手段４０を回動自在に支持する部材を別途設ける必要がなく、遊技盤固定具２０の一部をそのまま利用できる。
【００４４】
なお、装飾用発光手段４０は開閉扉５を閉じたときに、その開口５４から開閉扉５内に嵌合するように設けても良い。
【００４５】
図１０、図１１  は本発明の第４の実施例を例示する。この実施例の遊技盤固定具２０は、遊技盤８を前側から押さえる押さえ部材６３と、遊技盤８を押さえた状態で押さえ部材６３を遊技盤装着部１９に締結し固定する固定ネジ７４とを備え、その押さえ部材６３に取り付け台６２を介して装飾用発光手段４０が装着されている。
【００４６】
押さえ部材６３は前後方向の保持筒７５を有し、その保持筒７５に固定ネジ７４が回動自在に挿通されている。固定ネジ７４は取り付け台６２、装飾基板４１の孔７６，７７を貫通して前側に突出しており、その前端に回動操作用の摘まみ７８が設けられている。固定ネジ７４はその後端側がナット７９に着脱自在に螺合されている。ナット７９は左右方向の軸部８０、取り付け部８１を介して遊技盤装着部１９の後壁２４に支持され、また遊技盤８にはナット７９を避けるように切り欠き部２２が設けられている。
【００４７】
このように構成すれば、装飾用発光手段４０の装飾基板４１に固定ネジ７４を挿通すれば良いので、第３の実施例のように装飾基板４１に大きな切り欠き部７１、操作孔７２等を設ける必要がなく、押さえ部材６３に取り付け台６２を介して装飾用発光手段４０を設けているにも拘らず、装飾基板４１の面積を有効に利用できる。
【００４８】
以上、本発明の各実施例について詳述したが、本発明はこれらの実施例に限定されるものではなく、本発明の趣旨を逸脱しない範囲で種々の変更が可能である。各実施例では、装飾用発光手段４０が上部の横方向の横軸３４廻りに覆い位置Ａと退避位置Ｂとの間で回動するようにしているが、覆い位置Ａと退避位置Ｂとの二位置間であれば縦軸廻りに回動するようにしても良い。また装飾用発光手段４０は覆い位置Ａと退避位置Ｂとの二位置間で直線的に移動するように構成しても良い。
【００４９】
装飾用発光手段４０に複数の発光素子４２を一組とする発光素子群が複数組ある場合、その各発光素子群毎に発光素子４２を個別の装飾基板４１に装着しても良い。つまり、装飾基板４１は１個でも良いし、複数個でも良い。
【００５０】
装飾用発光手段４０は装飾基板４１に発光素子４２を装着したものの他、ランプと、ランプの廻りを回転する反射板又は遮蔽板とを組み合わせたもの等、機械的な可動部分を持つものでも良い。従って、装飾用発光手段４０の装飾基板４１は必須ではない。
【００５１】
遊技盤固定具２０は固定用部材として締結レバー２６を使用したもの、押さえ部材６３と締結レバー２６とを組み合わせたもの、押さえ部材６３と固定ネジ７４とを組み合わせたもの等を例示しているが、クランプ部材を使用したもの等、他の形式、構造のものを採用しても良い。また装飾用発光手段４０は、例えば装飾基板４１に発光素子４２を装着したもの等であっても、遊技盤固定具２０の形式、構造等に応じてその取り付け構造等を適宜変更すれば良い。
【００５２】
各実施例では、遊技盤８の上部側を固定する遊技盤固定具２０と、これに対応する装飾用発光手段４０との関係について例示しているが、遊技盤８の下部側を固定する遊技盤固定具２０に対応して装飾用発光手段４０を設けても良い。
【００５３】
更にパチンコ機の他、アレンジボール機、雀球遊技機その他の弾球遊技機においても同様に実施可能である。
【符号の説明】
【００５４】
１  遊技機本体
５  開閉扉
８  遊技盤
１３  遊技領域
２０  遊技盤固定具
３２  固定具カバー
４０  装飾用発光手段
４１  装飾基板
４２  発光素子
４７  装飾レンズ部
６３  押さえ部材（固定用部材）
【図１】
2010148992.tif 000003
【図２】
2010148992.tif 000004
【図３】
2010148992.tif 000005
【図４】
2010148992.tif 000006
【図５】
2010148992.tif 000007
【図６】
2010148992.tif 000008
【図７】
2010148992.tif 000009
【図８】
2010148992.tif 000010
【図９】
2010148992.tif 000011
【図１０】
2010148992.tif 000012
【図１１】
2010148992.tif 000013
【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
遊技機本体（１）に、該遊技機本体（１）に前側から着脱自在に装着された遊技盤（８）と、該遊技盤（８）を前側から開閉自在に覆い且つ該遊技盤（８）の遊技領域（１３）を視認可能な開閉扉（５）とを備えた弾球遊技機において、前記遊技領域（１３）の外側に配置され且つ前記遊技盤（８）の前側から操作して該遊技盤（８）を前記遊技機本体（１）に着脱自在に固定する遊技盤固定具（２０）を備え、該遊技盤固定具（２０）を前側から覆う固定具カバー（３２）を、前記遊技盤固定具（２０）を覆う覆い位置（Ａ）と退避位置（Ｂ）との間で回動自在に設けたことを特徴とする弾球遊技機。
【手続補正２】
【補正対象書類名】明細書
【補正対象項目名】０００１
【補正方法】変更
【補正の内容】
【０００１】
本発明は、弾球遊技機に関するものである。
【手続補正３】
【補正対象書類名】明細書
【補正対象項目名】０００２
【補正方法】変更
【補正の内容】
【０００２】
パチンコ機等の弾球遊技機は、遊技機本体の前面に前側から着脱自在に装着された遊技盤と、この遊技盤を前側から開閉自在に覆い且つその遊技領域を視認可能な開閉扉とを備えている。
この種の弾球遊技機には、遊技機本体の前面に遊技盤を収容し得る凹部状の遊技盤装着部を設け、その遊技盤装着部内の一側縁に、遊技盤の一側端部が差し込まれる差し込み部を、他側縁に遊技盤の他側端部を固定する固定具を夫々設けて、遊技盤の装着に際しては、遊技盤の一側端部を遊技盤装着部内の差し込み部に差し込んだ後、遊技盤の他側端部を遊技盤装着部内に押し込んで固定具により固定するようにしたものがある（特許文献１）。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】変更
【補正の内容】
【０００５】
【特許文献１】特開２００６−５５６７３号公報
【手続補正７】
【補正対象書類名】明細書
【補正対象項目名】０００６
【補正方法】削除
【補正の内容】
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】変更
【補正の内容】
【０００８】
本発明は、遊技盤の着脱に支障を来すことなく遊技盤固定具を覆う固定具カバーを備えた弾球遊技機を提供することを目的とする。
【手続補正１０】
【補正対象書類名】明細書
【補正対象項目名】０００９
【補正方法】変更
【補正の内容】
【０００９】
本発明は、遊技機本体１に、該遊技機本体１に前側から着脱自在に装着された遊技盤８と、該遊技盤８を前側から開閉自在に覆い且つ該遊技盤８の遊技領域１３を視認可能な開閉扉５とを備えた弾球遊技機において、前記遊技領域１３の外側に配置され且つ前記遊技盤８の前側から操作して該遊技盤８を前記遊技機本体１に着脱自在に固定する遊技盤固定具２０を備え、該遊技盤固定具２０を前側から覆う固定具カバー３２を、前記遊技盤固定具２０を覆う覆い位置Ａと退避位置Ｂとの間で回動自在に設けたものである。
【手続補正１１】
【補正対象書類名】明細書
【補正対象項目名】００１０
【補正方法】変更
【補正の内容】
【００１０】
本発明では、遊技領域１３の外側に配置され且つ遊技盤８の前側から操作して該遊技盤８を遊技機本体１に着脱自在に固定する遊技盤固定具２０を備え、該遊技盤固定具２０を前側から覆う固定具カバー３２を、遊技盤固定具２０を覆う覆い位置Ａと退避位置Ｂとの間で回動自在に設けているので、遊技盤の着脱に支障を来すことなく固定具カバーにより遊技盤固定具を覆うことができる。